(57)【要約】【課題】室外機近傍に余分なスペースを確保する必要がなく、かつ低コストで室外熱交換器全面に均一に散水することができ、十分な放熱効果の向上を図ることができる空気調和機を提供すること。【解決手段】冷房運転時に室外熱交換器に散水する散水手段を備えた空気調和機において、散水手段は室外熱交換器３の上方にあって、室外熱交換器３を構成するフィン２１を貫挿するように構成された散水用管部２５を備え、散水用管部２５はフィン２１の成型によりフィン２１と一体加工された円筒部２２を連続させることにより構成した。【選択図】図２
2007278654.tif 000002
【特許請求の範囲】
【請求項１】
冷房運転時に室外熱交換器に散水する散水手段を備えた空気調和機において、前記散水手段は前記室外熱交換器の上方にあって、前記室外熱交換器を構成するフィンを貫挿するように構成された散水用管部を備え、前記散水用管部は前記フィンの成型によりフィンに一体加工された円筒部を連続させることにより構成したことを特徴とする空気調和機。
【請求項２】
円筒部は、先端部で次のフィンの後端部に勘合し得る径に段状に絞られた形状とした請求項１に記載の空気調和機。
【請求項３】
円筒部は、先端部で次のフィンの後端部に勘合し得るように円錐台形状とした請求項１に記載の空気調和機。
【請求項４】
散水用管部は、円筒部に切り欠きを設けて各フィン間に散水孔を有するように構成した請求項１〜３に記載の空気調和機。
【請求項５】
散水管部への給水は、室内機の凝縮水を用いるようにした請求項１〜４に記載の空気調和機。
【発明の詳細な説明】
【技術分野】
【０００１】
本発明は、冷房運転時に室外熱交換器へ散水する構造を有した空気調和機に関するものである。
【背景技術】
【０００２】
従来、この種の空気調和機は、冷房運転時の性能向上のために室外熱交換器に散水して水の蒸発潜熱を利用することで冷媒の放熱効果を高めることを意図したものが提案されており、室外熱交換器への散水構造としては、室外機の空気吸込側に取付枠を取り付け、室外熱交換器の略中央に向けて水を散布するノズルを配置し、このノズルに給水管を通して水を供給して、室外熱交換器の外側の面に水を散布するものがある（例えば、特許文献１参照）。また、室外熱交換器への散水構造として、室外熱交換器の上方で一部の冷媒管の代わりに水管を貫挿して取り付け、該水管に室内機で発生したドレン水を供給するように構成することで、水を容易に且つ正確に散水できるとともに、散水手段の取り付けのために特別な取付枠を設ける必要を無くしたものもある（例えば、特許文献２参照）。
【０００３】
図５は、特許文献１に記載された従来の空気調和機を示すものである。図５において、室外機２の空気吸い込み側面には取付枠４が取り付けられ、取付枠４の略中央に散水ノズル５が設けられている。給水装置６は外部から供給される水を散水用接続管７を介して散水ノズル５へ送り、散水ノズル５から細かい粒または霧状の水をほぼ均一に室外熱交換器３に向けて散布するように構成されている。
【０００４】
図６は、特許文献２に記載された従来の空気調和機を示すものである。図６において、（ａ）は空気調和機の正面図、（ｂ）は平面図を示しており、室外機２は内部に室外熱交換器３、室外ファン１８、圧縮機（図示せず）を有し、室内外冷媒配管１７により室内機１と配管接続され冷凍サイクルを形成するとともに、冷房運転時に室内機１で凝縮したドレン水が室外機２へ流れるようにドレン水供給管１４が介設されている。室外熱交換器３の上方には冷媒管の代わりに横方向に概ね水平にドレン水散水管１５が貫挿されており、ドレン水供給管１４を介して室内機１から流れてきたドレン水が該ドレン水散水管１５に流入する。ドレン水散水管１５には、室外熱交換器３の全幅に渡って適宜数の散水孔が設けられており、概ね室外熱交換器３の全面に散水できるように構成されている。
【特許文献１】特開平１０−２１３３６１号公報
【特許文献２】特開２００１−２０１０８２号公報
【発明の開示】
【発明が解決しようとする課題】
【０００５】
しかしながら、前記従来の特許文献１に記載された構成では、室外機の空気吸込側に取付枠、および室外機の上方に給水装置が必要であるため、余分なスペースを室外機近傍に確保する必要があり、コストアップを招来するという課題を有していた。また、前記従来の特許文献２に記載された構成は、室外熱交換器全幅に渡る散水孔を有したドレン水散水管を加工することが困難であり、散水孔の間隔がフィンの間隔よりも大きくなるために、散水が不均一になるために、冷媒の放熱効果の向上が十分に図れないという課題を有していた。
【０００６】
本発明は、前記従来の課題を解決するもので、室外機近傍に余分なスペースを確保する必要がなく、かつ低コストで室外熱交換器全面に均一に散水することができ、十分な放熱効果の向上を図ることができる空気調和機を提供することを目的とする。
【課題を解決するための手段】
【０００７】
前記従来の課題を解決するために、本発明の空気調和機は、室外熱交換器を構成するフィンと、前記室外熱交換器の上方にあって前記フィンを貫挿するように構成された散水用管部とを備え、前記散水用管部は前記フィンの成型によりフィンに一体加工された円筒部を連続させることにより構成したものである。これによって、室外機の空気吸込側に取付枠、および室外機の上方に給水装置を備える必要がなく、余分なスペースを室外機近傍に確保する必要がなく省スペース化が図れるとともに、ドレン水散水管がフィンと一体成型させるので低コストで室外熱交換器全面に均一に散水することができ、十分な放熱効果の向上を図ることができる。
【発明の効果】
【０００８】
本発明の空気調和機は、室外熱交換器に散水する散水手段の散水用管部がフィンの成型によりフィンと一体加工された円筒部を連続させることにより構成されているので、室外機の空気吸込側に取付枠、および室外機の上方に給水装置を備える必要がなく、余分なスペースを室外機近傍に確保する必要がなく省スペース化が図れるとともに、ドレン水散水管がフィンと一体成型させるので低コストで室外熱交換器全面に均一に散水することができ、十分な放熱効果の向上を図ることができる。
【発明を実施するための最良の形態】
【０００９】
第１の発明は、冷房運転時に室外熱交換器に散水する散水手段を備えた空気調和機において、散水手段は室外熱交換器の上方にあって冷媒管と同様にフィンを貫挿するように構成された散水用管を備え、この散水用管はフィン成型により加工された円筒部を連続させることで構成することにより、室外機の空気吸込側に取付枠、および室外機の上方に給水装置を備える必要がなく、余分なスペースを室外機近傍に確保する必要がなく省スペース化が図れるとともに、ドレン水散水管がフィンと一体成型させるので低コストで室外熱交換器全面に均一に散水することができ、十分な放熱効果の向上を図ることができる。
【００１０】
第２の発明は、特に、第１の発明のフィンの円筒部を、先端部で次のフィンの後端部に勘合し得る径に段状に絞られた形状としたことで、フィンを重ねることにより散水用管が形成されるので、別途散水用管として銅管をフィンに貫挿して拡管する必要がなくなり、低コストで室外熱交換器全面に均一に散水することができる室外熱交換器を構成することができる。
【００１１】
第３の発明は、特に、第１の発明のフィンの円筒部を、先端部で次のフィンの後端部に勘合し得るように円錐台形状とすることで、第２の発明と同様の効果を得ることができる。
【００１２】
第４の発明は、特に、第１〜第３の発明の散水用管部を、円筒部に切り欠きを設けて各フィン間に散水孔を有するように構成することで、室外熱交換器の各フィン表面で蒸発し得る適量の水を各フィン間に供給することができるので、十分な放熱効果の向上を図ることができる。
【００１３】
第５の発明は、特に、第１〜第４の発明において、散水管部への給水を室内機の凝縮水を用いるようにしたので、室外機の空気吸込側に取付枠、および室外機の上方に給水装置を備える必要がなく、余分なスペースを室外機近傍に確保する必要がなく省スペース化が図れるとともに、ドレン水散水管がフィンと一体成型させるので低コストで室外熱交換器全面に均一に散水することができ、十分な放熱効果の向上を図ることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の室外機の構成図である。図１において、室外機２は内部に室外熱交換器３、室外ファン１８、圧縮機（図示せず）を有し、室内外冷媒配管１７により室内機（図示せず）と配管接続されて冷凍サイクルを形成する。室外熱交換器３はフィン２１に複数の冷媒管１６が貫挿されて構成され、上部に給水管１９が配設されている。
【００１６】
図２は、図１におけるＡ部拡大断面図である。図２において、下方にはフィン２１に冷媒管１６が貫挿されており、上方には円筒部２２がフィン２１と一体成型され、円筒部先端２３が隣接するフィン２１の円筒部後端２４に連続的に勘合し、室外熱交換器３の全幅に渡って散水管２５を形成している。円筒部先端２３は円筒部後端２４に勘合しやすいようにフィン幅に相当する位置に段が設けられている。
【００１７】
以上のように構成された空気調和機について、以下その動作、作用を説明する。冷房運転時には室外熱交換器３は冷媒管１６内を外気温度よりも高温の冷媒が流れ、外気に放熱することで冷媒が凝縮している。一方、室内機で凝縮したドレン水、もしくは外部から供給される水は給水管１９を介して散水管２５へ流入し、各々のフィン２１において円筒部先端２３と隣接するフィン２１の円筒部後端２４の勘合部の隙間を介して、フィン２１の表面に洩れ出て蒸発する。
【００１８】
以上のように、本実施の形態においては、散水管２５へ供給される水量および水圧が適切であれば、室外熱交換器３の全幅に渡ってフィン一枚一枚に水が供給され蒸発するので蒸発潜熱を有効に活用でき、冷媒管１６内を流れる冷媒の放熱効率を向上することができ、ひいては冷房の運転効率を向上させることができる。
【００１９】
また、本実施の形態のフィン２１の円筒部２２を図３に示す円錐台形状とすることにより、特に、フィンの成型加工が容易でありながら、同様に冷房の運転効率を向上させることができる。
【００２０】
また、本実施の形態のフィン２１の円筒部２２を図４に示すように一部に切り欠きを設けると、連続して構成したときに図３に示す散水孔２６を形成することができる。これによって散水がスムーズになるとともに散水量を各フィン間において一様になるように調整することも容易となり、各フィン表面で蒸発し得る適量の水を各フィン間に適切に供給することができるので、さらなる冷房の運転効率向上を図ることができる。
【産業上の利用可能性】
【００２１】
以上のように、本発明にかかる空気調和機は、冷媒管と散水管を併せて貫挿した単一の熱交換器を低コストで実現することが可能となるので、熱交換器表面への洗浄剤や芳香剤などの供給といった用途にも適用できる。
【図面の簡単な説明】
【００２２】
【図１】本発明の実施の形態１における空気調和機の室外機の構成図
【図２】本発明の実施の形態１における空気調和機の図１におけるＡ部拡大断面図
【図３】本発明の実施の形態１における空気調和機の要部断面図
【図４】本発明の実施の形態１における空気調和機の要部斜視図
【図５】従来の空気調和機の室外機の分解斜視図
【図６】（ａ）他の従来の空気調和機の構成図、（ｂ）同空気調和機の室外機の上方から見た構成図
【符号の説明】
【００２３】
１  室内機
２  室外機
３  室外熱交換器
４  取付枠
５  散水ノズル
６  給水装置
７  散水用接続管
１４  ドレン水供給管
１５  ドレン水散水管
１６  冷媒管
１７  室内外冷媒配管
１８  室外ファン
１９  給水管
２１  フィン
２２  短円筒部
２３  短円筒部先端
２４  短円筒部後端
２５  散水管
２６  切り欠き
２７  散水孔
【図１】
2007278654.tif 000003
【図２】
2007278654.tif 000004
【図３】
2007278654.tif 000005
【図４】
2007278654.tif 000006
【図５】
2007278654.tif 000007
【図６】
2007278654.tif 000008